(57)【要約】      （修正有）【課題】外部からの異物が容器本体の流体収容空間内に進入すること及び流出経路に残留して汚染された流体が逆流して容器本体の流体収容空間内に進入することを防止できる容器を提供する。【解決手段】流通口２２１が開けられている容器本体２と、流体が流し出せる流出経路３２を有するように構成されている上、流出経路３２が流通口２２１に連通するように容器本体２に設置されている口栓３と、中空があり、該中空の介入によって流出経路３２と流通口２２１とが連通するように口栓３と容器本体２との間に設置されている上、流通口２２１に近い側に、付勢手段４３の付勢により押されて流通口２２１を弾性的に塞ぐ弁体４２が構成されている逆流防止弁４と、を備える。【選択図】図３
0003209605.tif 000002
【実用新案登録請求の範囲】
【請求項１】
流体を収容できるように形成され且つ流体を通す流通口が開けられている容器本体と、
流体を通す流出経路を有するように構成されている上、前記流出経路が前記流通口に連通するように前記容器本体に設置されている口栓と、
中空があり、該中空の介入によって前記流出経路と前記流通口とが連通するように前記口栓と前記容器本体との間に設置されている上、前記流通口に近い側に、付勢手段の付勢により押されて前記流通口を弾性的に塞ぐ弁体が構成されている逆流防止弁と、を備えることを特徴とする逆流防止容器。
【請求項２】
前記逆流防止弁は、その一端部が前記口栓の一端部である連接部を外嵌することにより、前記口栓と連結して前記中空と前記流出経路とを連通させるリング形本体があり、
前記付勢手段は、前記リング形本体と前記弁体との間に設置されている複数の螺旋状ばね板であることを特徴とする請求項１に記載の逆流防止容器。
【請求項３】
前記逆流防止弁の前記リング形本体は、筒形で両端がそれぞれ開口しているリング形周壁と、前記リング形周壁の内周面に形成されている環状凹部と、を有し、
前記口栓の、前記リング形本体に外嵌されている前記連接部は、筒形で両端がそれぞれ開口していて、前記連接部の外周面には、前記リング形本体が前記口栓の前記連接部に外嵌されると前記リング形本体の内周面にある前記環状凹部にはまり込んで前記リング形本体と前記口栓とを連結することができる環状突起が形成されていることを特徴とする請求項２に記載の逆流防止容器。
【請求項４】
前記容器本体には、取付周壁が、前記流通口の周縁と所定の距離を置いた位置から外側へ筒状に延伸し、前記口栓の前記連接部と前記逆流防止弁を外嵌して前記容器本体に収容された流体が前記逆流防止弁との間から流出することを防止することができるように形成されており、
前記口栓の一端部である前記連接部の反対側にある他端部は、ノズル構造になっている上、前記流出経路が前記他端部に入ると径長が段々小さくなってから前記他端部の先端に開口しており、
更に、前記容器本体には、キャップが、取外し可能に取り付けられており、前記キャップは、前記容器本体の前記取付周壁に取外し可能に取り付けられる取付部と、前記キャップが前記取付部により前記容器本体に取り付けられると前記口栓の前記他端部にある開口を塞ぐことができるように前記取付部内に形成されている漏れ防止突起と、を有することを特徴とする請求項３に記載の逆流防止容器。
【考案の詳細な説明】
【技術分野】
【０００１】
本考案は流体を収容する容器に関し、具体的には流体の逆流を防止できる容器に関する。
【背景技術】
【０００２】
流体を収容する従来の容器１は、図１に示されるように、容器本体１１と、口栓１２と、キャップ１３とを備える。
【０００３】
容器本体１１は、流体を収容する流体収容空間１１２を画成するように形成されている上に使用者の押圧により一時的に凹んで変形できる本体周壁１１１を有し、本体周壁１１１に流体収容空間１１２と外部とを連通する流通口１１３が開けられている。
【０００４】
口栓１２は、外部へ向かう開口が開けられて、流体が流れ出る流出経路１２１を有する上、流出経路１２１が流通口１１３に連通するように容器本体２に設置されている。
【０００５】
キャップ１３は、一端開口の断面Ｕ字型に形成されている外周壁１３１と、外周壁１３１のＵ字型の底部からＵ字型の該開口へ向かって筒状に延伸し、容器本体１１に取外し可能に取り付けられる取付部１３２と、取付部１３２内の外周壁１３１の底部に、キャップ１３が取付部１３２により容器本体１１に取り付けられると口栓１２の開口が開けられている先端に外側から嵌まり込んで、即ち外嵌して、流体の流出を防止できるように形成されている漏れ防止壁１３３と、キャップ１３が取付部１３２により容器本体１１に取り付けられると口栓１２にある前記開口に差し込まれて該開口を塞ぐことができるように漏れ防止壁１３３内に形成されている漏れ防止突起１３４と、により構成されている。
【０００６】
上記の構成により、キャップ１３が容器本体１１に取り付けられている際に、キャップ１３の漏れ防止壁１３３と漏れ防止突起１３４とが口栓１２の開口及びその先端を塞ぐことにより、流体収容空間１１２内の流体の流出を防止できる。
【０００７】
しかし、キャップ１３を外して使用する時には、外部からの異物が流体収容空間１１２内に進入し得る状態になり、流体収容空間１１２内の流体が汚染される恐れがある。また、使用後に再びキャップ１３を閉めた後でも、流出経路１２１に残留していて既に外部からの異物または空気に接触することにより汚染された流体が逆流して流体収容空間１１２内に進入すると、同じく流体収容空間１１２内の流体を汚染することがある。よって、従来の流体を収容する容器は、キャップ１３を外して使用した後に、再びキャップ１３を閉めても、流出経路に残留して汚染された流体が容器本体の流体収容空間１１２内に進入することを防止できないという欠点がある。
【考案の概要】
【考案が解決しようとする課題】
【０００８】
上記問題点に鑑みて、本考案は、外部からの異物が容器本体の流体収容空間内に進入すること及び流出経路に残留して汚染された流体が逆流して容器本体の流体収容空間内に進入することを防止できる容器の提供を目的とする。
【課題を解決するための手段】
【０００９】
上記目的を達成すべく、本考案は、流体を収容できるように形成され且つ流体を通す流通口が開けられている容器本体と、流体を通す流出経路を有するように構成されている上、前記流出経路が前記流通口に連通するように前記容器本体に設置されている口栓と、中空があり、該中空の介入によって前記流出経路と前記流通口とが連通するように前記口栓と前記容器本体との間に設置されている上、前記流通口に近い側に、付勢手段の付勢により押されて前記流通口を弾性的に塞ぐ弁体が構成されている逆流防止弁と、を備えることを特徴とする逆流防止容器を提供する。
【考案の効果】
【００１０】
上記構成により、本考案の逆流防止容器は、逆流防止弁の弁体が付勢手段の付勢により押されて容器本体の流通口を弾性的に塞ぐことができるので、外部からの異物が容器本体の流体収容空間内に進入すること及び流出経路に残留して汚染された流体が逆流して容器本体の流体収容空間内に進入することを防止できる。
【図面の簡単な説明】
【００１１】
【図１】流体を収容する従来の容器を示す断面図である。
【図２】本考案の一実施形態における逆流防止容器を示す部品分解図である。
【図３】上記逆流防止容器を示す部品分解断面図である。
【図４】上記逆流防止容器の閉栓状態を示す断面図である。
【図５】上記逆流防止容器の開栓状態を示す断面図である。
【考案を実施するための形態】
【００１２】
以下、図面を参照しながら、本考案の逆流防止容器の好ましい実施形態について詳しく説明する。
【００１３】
本実施形態において逆流防止容器は、図２及び図３に示されるように、容器本体２と、口栓３と、容器本体２と口栓３との間に配置されている逆流防止弁４と、容器本体２に取外し可能に取り付けられているキャップ５とを備える。
【００１４】
容器本体２は、図３に示されるように、流体を収容できる流体収容空間２２を画成し、使用者の押圧により一時的に凹んで流体収容空間２２の内圧が高まるように変形できる本体周壁２１を有し、本体周壁２１に流体収容空間２２と容器本体２の外部とを連通する流通口２２１が開けられ、流通口２２１の周縁と所定の距離を置いた位置から筒状に外側へ延伸する取付周壁２１１が形成されている。流通口２２１の周縁から取付周壁２１１の内周面までの本体周壁２１は、後述する逆流防止弁４が当接して流通口２２１を塞ぐ当接突起２２２として機能する。
【００１５】
口栓３は、図３に示されるように、外径が取付周壁２１１の内径より小であるように形成された略管状に形成されていて、逆流防止弁４が設置されている一端部である連接部３１２と、一端部である連接部３１２の反対側にある他端部３１３と、連接部３１２と他端部３１３との間から外側に張り出して取付周壁２１１の先端の周縁に当接する当接部３１１と、を備え、連接部３１２と他端部３１３とにそれぞれ開口して流体が通過できる流出経路３２を画成する口栓本体３１を有する上、流出経路３２が流通口２２１に連通するように逆流防止弁４を介して容器本体２に設置されている。
【００１６】
逆流防止弁４は、図２及び図３に示されるように、中空のリング形本体４１があり、リング形本体４１の中空の介入によって流出経路３２と流通口２２１とが連通するように口栓３と容器本体２との間に設置されている上、流通口２２１に近い側に、付勢手段４３の付勢により押されて流通口２２１を弾性的に塞ぐ弁体４２が構成されている。この実施形態において、逆流防止弁４はプラスチック材料により構成されている。
【００１７】
より詳しく説明すると、逆流防止弁４のリング形本体４１は、筒形で両端がそれぞれ開口し、口栓３の連接部３１２を緊密に外嵌することができるように形成されているリング形周壁４１１と、リング形周壁４１１の内周面に形成されている環状凹部４１２と、を有し、リング形周壁４１１が口栓３の連接部３１２を外嵌することにより、口栓３と連結して口栓３の流出経路３２とリング形本体４１が有する前記中空とを連通させる。付勢手段４３は、リング形本体４１と弁体４２との間に設置されている複数の螺旋状ばね板であって、弁体４２は、付勢手段４３の付勢により容器本体２の当接突起２２２に当接することにより、流通口２２１を弾性的に塞ぐ。
【００１８】
上述のように、口栓３の連接部３１２と逆流防止弁４とが容器本体２の取付周壁２１１に内嵌すると、逆流防止弁４の弁体４２が弾性的に当接突起２２２に当接すると共に流通口２２１を塞ぐので、流体が流通口２２１から漏れることが防止される。
【００１９】
口栓３の、リング形本体４１が外嵌している連接部３１２は、図３に示されるように、筒形で両端がそれぞれ開口しているものであり、連接部３１２の外周面には、リング形本体４１が口栓３の連接部３１２に外嵌するとリング形本体４１の内周面にある環状凹部４１２にはまり込んでリング形本体４１と口栓３とを連結することができる環状突起３１４が形成されている。口栓３の他端部３１３は、ノズル構造になっている上、流出経路３２が他端部３１３に入ると径長が段々小さくなってから他端部３１３の先端に開口している。
【００２０】
キャップ５は、図３に示されるように、容器本体２の取付周壁２１１と口栓３をカバーできるように、一端開口の椀状で断面Ｕ字型に形成されている外周壁５１と、外周壁５１のＵ字型の底部からＵ字型の該開口へ向かって筒状に延伸し、容器本体２の取付周壁２１１に取外し可能に取り付けられる取付部５２と、取付部５２内の外周壁５１の底部に、キャップ５が取付部５２により容器本体２に取り付けられると口栓３の他端部３１３の先端を外嵌して、流体の流出を防止できるように形成されている漏れ防止壁５３と、キャップ５が取付部５２により容器本体２に取り付けられると口栓３の他端部３１３にある開口を塞ぐことができるように漏れ防止壁５３内に形成されている漏れ防止突起５４と、により構成されている。
【００２１】
この実施形態において、容器本体２の取付周壁２１１は、外周面に外ねじ部２１２が形成され、キャップ５の取付部５２は、内周面に取付周壁２１１の外ねじ部２１２に螺接できる内ねじ部５２１が形成され、外ねじ部２１２と内ねじ部５２１とが互いに螺接することにより、キャップ５が取外し可能に容器本体２に取り付けられる。但し、本考案はこの実施形態に限らず、他の構造でキャップ５を取外し可能に容器本体２に取り付けることもできる。
【００２２】
上記の構成により、本考案の逆流防止容器は、図４に示されるように、逆流防止弁４の弁体４２が付勢手段４３の付勢により押されて容器本体２の当接突起２２２に当接することにより、流通口２２１を弾性的に塞いでいるので、容器本体２の流体収容空間２２内の流体は流通口２２１を通過できず、且つ流出経路３２内または外部の異物が流体収容空間２２に進入できない閉栓状態になる。そして、使用者が容器本体２の流体収容空間２２内の流体を出す際には、図５に示されるように、使用者が本体周壁２１を押圧して変形させて流体収容空間２２の内圧を高めることにより、流体が逆流防止弁４の付勢手段４３による付勢に抗して弁体４２を押し動かすと、弁体４２が容器本体２の当接突起２２２から離れて、流通口２２１が開栓状態になり、流体が流出できるようになる。使用者が本体周壁２１に対する押圧をリリースすると、本体周壁２１が元の閉栓状態に戻り、弁体４２が再び付勢手段４３の付勢により流通口２２１を塞ぎ、流出経路３２内に残留した流体または外部の異物が流体収容空間２２に進入できなくなり、流体の逆流を防止できる。
【産業上の利用可能性】
【００２３】
本考案の逆流防止容器は、一般の流体の収容に適用し、特に内容物の純度を確保すべき医薬品、化粧品などの収容に好適である。
【符号の説明】
【００２４】
２  容器本体
３  口栓
４  逆流防止弁
５  キャップ
２１  本体周壁
２１１  取付周壁
２１２  外ねじ部
２２  流体収容空間
２２１  流通口
２２２  当接突起
３１  口栓本体
３１１  当接部
３１２  連接部
３１３  他端部
３１４  環状突起
３２  流出経路
４１  リング形本体
４１１  リング形周壁
４１２  環状凹部
４２  弁体
４３  付勢手段
５１  外周壁
５２  取付部
５２１  内ねじ部
５３  漏れ防止壁
５４  漏れ防止突起
【図１】
0003209605.tif 000003
【図２】
0003209605.tif 000004
【図３】
0003209605.tif 000005
【図４】
0003209605.tif 000006
【図５】
0003209605.tif 000007